(57)【要約】【課題】接眼レンズユニットが装置本体に着脱自在なファインダー装置において、部品点数を増加させることなく、接眼レンズユニットの装着状態でのガタつきを確実に防止することが出来るファインダー装置を提供すること。【解決手段】ファインダー装置において接眼レンズを光軸方向に移動することで視度調整を行う視度調節部に所定の操作力を付加する弾性部材により、接眼レンズユニットの装置本体装着時におけるガタつきを防止する構成とした。よって、ガタつき防止専用の部品を設ける必要がなく、部品点数の削減が可能となる。【選択図】図６（ａ）
2015184499.tif 000002
【特許請求の範囲】
【請求項１】
接眼レンズと、接眼レンズを光軸方向に移動することで視度調整を行う視度調節部と、前記視度調節部に所定の操作力を付加する弾性部材と、を備えた接眼レンズユニットが装置本体に着脱自在なファインダー装置において、装置本体装着時におけるガタつきを前記弾性部材により防止することを特徴とするファインダー装置。
【請求項２】
前記弾性部材は、接触による摩擦力で前記視度調節部の所定の操作力を付加することを特徴とする請求項１に記載のファインダー装置。
【請求項３】
前記弾性部材は、装置本体装着時に装置本体に押圧されることを特徴とする請求項１又は請求項２に記載のファインダー装置。
【請求項４】
前記弾性部材の装置本体装着時における装置本体への押圧位置は、装置本体と係合する対向位置であることを特徴とする請求項３に記載のファインダー装置。
【請求項５】
前記弾性部材は、ゴム状弾性材料であることを特徴とした請求項１乃至請求項４の何れか一項に記載のファインダー装置。
【請求項６】
前記弾性部材は板バネであることを特徴とした請求項１乃至請求項４の何れか一項に記載のファインダー装置。
【発明の詳細な説明】
【技術分野】
【０００１】
本発明は、ファインダー装置に関するものである。
【背景技術】
【０００２】
従来、ビデオカメラ等の撮像装置に設けられるファインダー装置として、撮像装置の撮像画像を液晶表示部に表示させ、この液晶表示部の表示画像を接眼レンズを通して覗いて見るものがある。
【０００３】
このようなファインダー装置において、ファインダー装置内部の焦点面にある液晶表示部にゴミや埃等の異物が付着すると、ファインダー装置を覗いて見たときに異物が見え、撮像画像が見難くなると共にユーザーに不快感を与えることになる。このようなゴミや埃等の異物は、ファインダー装置の構成部品を組み立てる際にファインダー装置内に入ったり、長期使用により、ゴースト対策等のために光学部品に施された塗装が剥がれ落ちたりして発生する。
【０００４】
この問題に対する解決方法として、ファインダー装置の接眼レンズユニットを着脱可能に構成し、ファインダー装置の液晶表示部にゴミや埃等の異物が付着した際に、接眼レンズユニットを取り外すことで、液晶表示部を直接清掃可能にしたものがある（特許文献１参照）。
【０００５】
このような、接眼レンズユニットが着脱可能なファインダー装置を図９から図１１に示す。図９は、ファインダー装置の表示ユニットと接眼レンズユニットを結合させた状態を示す斜視図、図１０（ａ）及び図１０（ｂ）は、ファインダー装置の表示ユニットと接眼レンズユニットを分離させた状態を示す斜視図、図１１はファインダー装置の表示ユニットと接眼レンズユニットの結合部を光軸方向に撮影者側から見た断面図である。
【０００６】
ファインダー装置８００は、表示ユニット８０１と表示ユニット８０１に装着される接眼レンズユニット８０２より構成され、表示ユニット８０１はヒンジ８０３により、不図示の撮像装置本体に回動可能に支持される。
【０００７】
表示ユニット８０１にはガイドレール部８０１ａが設けられ、接眼レンズユニット８０２にはガイドレール８０１ａに案内される被ガイド部８０２ａが設けられている。表示ユニット８０１に接眼レンズユニット８０２を結合する際は、表示ユニット８０１のガイドレール部８０１ａに接眼レンズユニット８０２の被ガイド部８０２ａを結合位置までスライドさせる。結合位置では、表示ユニット８０１に設けられたロックツメ８０１ｂが接眼レンズユニット８０２に設けられたロック溝８０２ｂに嵌合することで、図１１に示すように接眼レンズユニット８０２が表示ユニット８０１に嵌合保持される。
【０００８】
ところで、上記のように表示ユニット８０１と接眼レンズユニット８０２が着脱可能なファインダー装置８００では、表示ユニット８０１のガイドレール部８０１ａと接眼レンズユニット８０２の被ガイド部８０２ａの嵌合寸法のバラツキや、表示ユニット８０１に設けられたロックツメ８０１ｂと接眼レンズユニット８０２に設けられたロック溝８０２ｂの嵌合のバラツキによって、表示ユニット８０１に接眼レンズユニット８０２装着状態でガタつきが発生する。このガタつきは、携帯時や接眼レンズユニット８０２に目を押し当てて使用する際に、極めて不快なものである。
【０００９】
そこで、上記ガタつきを防止するために、図１０（ａ）に示すように、ファインダー装置８００の表示ユニット８０１にゴム等の弾性部材８０１ｃを両面テープ等で貼付け、接眼レンズユニット８０２が表示ユニット８０１に嵌合保持状態において接眼レンズユニット８０２の突起部８０２ｃにて弾性部材８０１ｃを圧縮することで、接眼レンズユニット８０２の表示ユニット８０１への装着状態のガタつきを改善したものがある。
【先行技術文献】
【特許文献】
【００１０】
【特許文献１】特開２０００−１２２１２１号公報
【発明の概要】
【発明が解決しようとする課題】
【００１１】
しかしながら、ガタつき防止専用の弾性部材８０１ｃを配置することは、部品点数増加によるコストアップや弾性部材８０１ｃの剥離等の問題がある。
【００１２】
本発明は、上記のような問題を解決するためになされたものであり、部品点数を増加させることなく、接眼レンズユニットの装着状態でのガタつきを確実に防止することが出来るファインダー装置を提供することを目的とする。
【課題を解決するための手段】
【００１３】
上記の目的を達成するために、請求項１に記載の発明は、接眼レンズと、接眼レンズを光軸方向に移動することで視度調整を行う視度調節部と、前記視度調節部に所定の操作力を付加する弾性部材と、を備えた接眼レンズユニットが装置本体に着脱自在なファインダー装置において、装置本体装着時におけるガタつきを前記弾性部材により防止することを特徴とした。
【００１４】
請求項２に記載の発明は、請求項１に記載のファインダー装置において、前記弾性部材は、接触による摩擦力で前記視度調節部の所定の操作力を付加することを特徴とした。
【００１５】
請求項３に記載の発明は、請求項１又は２の何れか記載のファインダー装置において、前記弾性部材は、装置本体装着時に装置本体に押圧されることを特徴とした。
【００１６】
請求項４に記載の発明は、請求項３に記載のファインダー装置において、前記弾性部材の装置本体装着時における装置本体への押圧位置は、装置本体と係合する対向位置であることを特徴とした。
【００１７】
請求項５に記載の発明は、請求項１から請求項４の何れか記載のファインダー装置において、前記弾性部材は、ゴム状弾性材料であることを特徴とした。
【００１８】
請求項６に記載の発明は、請求項１から請求項４の何れか記載のファインダー装置において、前記弾性部材は板バネであることを特徴とした。
【発明の効果】
【００１９】
以上説明したように、本発明によれば、ファインダー装置において接眼レンズを光軸方向に移動することで視度調整を行う視度調節部に所定の操作力を付加する弾性部材により、接眼レンズユニットの装置本体装着時におけるガタつきを防止する構成とした。よって、ガタつき防止専用の部品を設ける必要がなく、部品点数の削減が可能となる。
【図面の簡単な説明】
【００２０】
【図１】本発明の実施形態におけるビデオカメラの正面方向（被写体側）から見た斜視図である。
【図２】本発明の実施形態におけるビデオカメラの後方（撮影者側）から見た斜視図である。
【図３（ａ）】本発明の実施形態における電子ビューファインダーの表示ユニットと接眼レンズユニットを結合させた状態を示す斜視図である。
【図３（ｂ）】本発明の実施形態における電子ビューファインダーの表示ユニットと接眼レンズユニットを結合させた状態を底面側から見た図である。
【図４】本発明の実施形態における電電子ビューファインダーの表示ユニットと接眼レンズユニットを結合させた状態の光軸方向に直交する方向から見た断面図である。
【図５】本発明の実施形態における電子ビューファインダーの表示ユニットと接眼レンズユニットの結合部を光軸方向に撮影者側から見た断面図である。
【図６（ａ）】本発明の実施形態における電子ビューファインダーの表示ユニットと接眼レンズユニットを分離させた状態を示す斜視図である。
【図６（ｂ）】本発明の実施形態における電子ビューファインダーの表示ユニットと接眼レンズユニットを分離させた状態を示す斜視図である。
【図７】発明の実施形態におけるビデオカメラの電子ビューファインダーを構成する表示ユニットの分解斜視図である。
【図８】本発明の実施形態におけるビデオカメラの電子ビューファインダーを構成する接眼レンズユニットの分解斜視図である。
【図９】従来例におけるファインダー装置の表示ユニットと接眼レンズユニットを結合させた状態を示す斜視図である。
【図１０（ａ）】従来例におけるファインダー装置の表示ユニットと接眼レンズユニットを分離させた状態を示す斜視図である。
【図１０（ｂ）】従来例におけるファインダー装置の表示ユニットと接眼レンズユニットを分離させた状態を示す斜視図である。
【図１１】従来例におけるファインダー装置の表示ユニットと接眼レンズユニットの結合部を光軸方向に撮影者側から見た断面図である。
【発明を実施するための形態】
【００２１】
以下に、本発明の好ましい実施の形態を、添付の図面に基づいて詳細に説明する。図１は本発明の実施形態におけるビデオカメラの正面方向（被写体側）から見た斜視図、図２は同ビデオカメラの後方（撮影者側）から見た斜視図である。
【００２２】
図１及び図２において、ビデオカメラ１は、撮像装置本体の一具体例を示すケース本体２と、このケース本体２の前面に突出するように取り付けられたレンズ装置３と、このレンズ装置３から入力される光に基づいて被写体の映像信号を形成する撮像手段と、この撮像手段で形成された映像信号又は予め情報記録媒体に記録されている情報に基づいて映像を表示する液晶ディスプレイ、映像モニタディスプレイ等からなる平面モニタ４及び電子ビューファインダー５等から構成されている。ここで、本発明における映像と画像について定義する。本発明では、平面モニタ４又は電子ビューファインダー５の表示面に表された１コマ毎の像を「画像」といい、その画像の任意数の集合を「映像」というものとする。
【００２３】
ビデオカメラ１の撮像手段は、ケース本体２の内部に収納されていて図には現れないが、フラッシュメモリなどの不揮発性メモリが着脱自在に装着されるメモリホルダと、このメモリホルダに装着された不揮発性メモリに対して情報信号の記録（書き込み）及び再生（読み出し）を行う記録再生手段と、この記録再生手段の制御等を行う制御手段等から構成されている。撮像手段の一具体例を示すＣＣＤはレンズ装置３の光軸上後方に配置されていて、このＣＣＤで電気的な信号に変換された情報が不揮発性メモリに記録される。
【００２４】
メモリホルダの挿入口はケース本体２に設けた開閉蓋６を開放することで露出し、その開閉蓋６はケース本体２に回動開閉自在に取り付けられている。７は、開閉蓋６のロックを解除して開閉蓋６を開く蓋開放ボタンである。この蓋開放ボタン７をスライド操作することにより、開閉蓋６を回動自在に支持する軸を中心に回動されて、開閉蓋６がケース本体２の上方もしくは下方に開放される。メモリホルダはケース本体２に複数個配置されていてもよく、合わせて開閉蓋６も複数個配置されていてもよい。本実施例では、メモリホルダ、開閉蓋６がそれぞれ２個ずつ配置された例で記載している。
【００２５】
ケース本体２の側方には、グリップベルトなどを配置した本体把持部８がケース本体２に一体に設けられている。撮影者は本体把持部８を手で支持することで、ビデオカメラ１を持ち、撮影姿勢を取ることができる。
【００２６】
ケース本体２の上部には、レンズ装置３の光軸方向である前後方向に延在された取手部９が一体に設けられている。取手部９は、ケース本体２の前側上部に立設された前脚部１０と、ケース本体２の後側上部に立設された後脚部１１と、レンズ装置３の光軸と略平行に延在されるとともに前脚部１０、後脚部１１の上端間を連結する取手把持部１２から構成されている。後脚部１１の上部には、電子ビューファインダー５が取り付けられている。レンズ装置３先端には、レンズ装置３に入射する不要な光を遮断するためのレンズフード１３が着脱可能に装着されている。
【００２７】
電子ビューファインダー５は、レンズ装置３の光軸の上方において略平行に設置された取手部９の取手把持部１２の後部から、この取手把持部１２の軸方向と略同一軸上において後方に突出するように設けられている。また電子ビューファインダー５は、後述するヒンジにより略７０度上方に回動自在に支持される。
【００２８】
また、取手部９の前端部には、取手把持部１２の先端に連続する台座部１４と、この台座部１４の先端に連続して光軸方向前方に突出する突出部１５が設けられている。突出部１５は、前方及び左右側方に開口された中空状の部分からなり、その内部には図示しないマイクロホンが収納されている。
【００２９】
台座部１４の左側方には、ガンマイクなどの外部マイクを保持するために配置された外部マイク保持部１６が取付けられている。
【００３０】
平面モニタ４は、取手部９の前端部に設けられた台座部１４の下部に、突出部１５下部に設けられた回動支持部１７により、第１の回動軸及び第２の回動軸周りに回動可能に構成されている。
【００３１】
次に、本発明の特徴とする電子ビューファインダーの構成について説明する。図３（ａ）は、電子ビューファインダーの表示ユニットと接眼レンズユニットを結合させた状態を示す斜視図、図３（ｂ）は、電子ビューファインダーの表示ユニットと接眼レンズユニットを結合させた状態を底面側から見た図、図４は、電子ビューファインダーの表示ユニットと接眼レンズユニットを結合させた状態の光軸方向に直交する方向から見た断面図、図５は、電子ビューファインダーの表示ユニットと接眼レンズユニットの結合部を光軸方向に撮影者側から見た断面図である。また、図６（ａ）及び図６（ｂ）は、電子ビューファインダーの表示ユニットと接眼レンズユニットを分離させた状態を示す斜視図である。
【００３２】
これらの図に示すように、本発明の実施形態におけるビデオカメラの電子ビューファインダーは、表示ユニット５０１と接眼レンズユニット５０２より構成される。表示ユニット５０１はヒンジ５０３により、ビデオカメラ１の取手部９後部に略７０度上方に回動可能に支持される。
【００３３】
接眼レンズユニット５０２は表示ユニット５０１に対して上方向にスライドすることで分離可能であり、後述する液晶表示パネルにゴミや埃等の異物が付着した際に、接眼レンズユニットを取り外すことで、液晶表示パネルを直接清掃可能である。
【００３４】
ここで、表示ユニット５０１の構成について、詳しく説明する。図７は、本発明の実施形態におけるビデオカメラの電子ビューファインダーを構成する表示ユニットの分解斜視図である。
【００３５】
図７において、５０４は表示ユニット５０１の外筺を形成する外装カバーである。５０５は、表示ユニット５０１から接眼レンズユニット５０２を取り外す際にロックを解除するためのロック解除レバーであり、ロック解除レバー５０５の係合片５０５ａが外装カバーに設けられた穴５０４ａを通してロックツメ５０６と連結される。
【００３６】
ロックツメ５０６は、ビス５１４によって外装カバー５０４に固定されたロックツメガイド部材５０７によって光軸方向に移動可能にガイドされると共に、圧縮バネ５０８により接眼レンズユニット５０２をロックする方向（図３（ｂ）のＡ方向）に付勢される。５１２は、撮影画像や再生画像を表示する液晶表示パネル、５１０は、液晶表示パネル５１２の光源となるバックライト、５１１は、液晶表示パネル５１２とバックライト５１０との間に所定の間隔を設けると共に、液晶表示パネルの組付け時のガタつきを吸収するためのゴム等の弾性部材からなるスペーサーである。
【００３７】
５０９は、液晶表示パネル５１２及びバックライト５１０が接続される基板であり、ビス５１５によってバックライト５１０、スペーサー５１１、液晶表示パネル５１２を挟み込んだ状態にて支持板５１３に固定される。
【００３８】
支持板５１３には、液晶表示パネル５１２の表示領域を露出されるための開口５１３ａ、ロックツメ５０６を露出するための開口５１３ｃ、外装カバー５０４に設けられた突起部５０４ｂを露出するための切り欠き５１３ｄ、接合レンズ部５０２の結合を案内するためのガイドレール部５１３ｂが設けられている。また、支持板５１３は、ビス５１６によって外装カバー５０４に固定される。
【００３９】
次に、接眼レンズユニット５０２の構成について、詳しく説明する。図８は、本発明の実施形態におけるビデオカメラの電子ビューファインダーを構成する接眼レンズユニットの分解斜視図である。
【００４０】
図８において、５２３は接眼レンズユニット５０２の外郭を形成する接眼レンズ鏡筒、５２６は接眼したときに外光が入らないように遮光するゴムやエラストマー等の軟質部材からなるアイカップであり、接眼レンズ鏡筒５２３の外周に取り付けられる。
【００４１】
５２４は、接眼レンズのキズ防止とゴミや埃等の異物の浸入を防止する接眼側保護ガラスであり、接眼側保護ガラス保持部材５２５により接眼レンズ鏡筒５２３に挟み込んだ状態で固定される。
【００４２】
５２２は、接眼レンズを光軸方向に移動させることで視度調節を行う視度調節レバーであり、図４に示すように視度調節レバー５２２の係合片５２２ａが接眼レンズ鏡筒５２３に設けられた穴５２３ａを通して視度調節保持板５２１の結合溝５２１ａとゴム等の弾性部材からなる視度操作力付加部材５２０を圧縮状態にて挟み込んだ状態で連結される。視度調節レバー５２２が図３（ｂ）のＣもしくはＤ方向に操作されると、視度調レバー５２２と連結された視度調節保持板５２１も一体となって移動する。その際、視度調節保持板５２１と視度操作力付加部材５２０との圧縮状態の接触による摩擦力により視度調節レバーに所定の操作力を付加することが可能となる。
【００４３】
５１９は、接眼レンズ５１９ａを光軸方向に移動可能に保持する接眼レンズ保持部材である。接眼レンズ保持部材５１９は、視度調レバー５２２の係合片５２２ａと係合することで、視度調整レバー５２２の移動量に応じて接眼レンズ５１９ａを光軸方向に移動する。
【００４４】
５１８は、表示ユニット５０１の支持板５１３に設けられたガイドレール部５１３ｂに案内される被ガイド部５１８ａが設けられた案内板である。案内板５１８には、表示ユニットのロックツメ５０６が係合するロック溝５１８ｂと、ロック溝５１８ｂの下部に視度操作力付加部材５２０を露出させるための切り欠き５１８ｃが設けられている。
【００４５】
５１７は、接眼レンズのキズ防止とゴミや埃等の異物の浸入を防止する表示ユニット側保護ガラスであり、案内板５１８に不図示の両面テープや接着剤により貼り付けされる。また、案内板５１８は、ビス５２７によって接眼レンズ鏡筒５２３に固定される。
【００４６】
次に、本発明の特徴とする電子ビューファインダーの表示ユニットと接眼レンズユニットの着脱動作について説明する。
【００４７】
まず電子ビューファインダーの表示ユニット５０１に接眼レンズユニット５０２を結合する際は、表示ユニット５０１の支持板５１３に設けられたガイドレール部５１３ｂに、接眼レンズユニット５０２の案内板５１８に設けられた被ガイド部５１８ａを上方より結合位置までスライドさせる。結合位置では、表示ユニット５０１のロックツメ５０６が接眼レンズユニット５０２の案内板５１８に設けられたロック溝５１８ｂに係合することで、表示ユニット５０１と接眼レンズユニット５０２が係合保持される。この時、ロックツメ５０６とロック溝５１８ｂが係合する下方対向位置において接眼レンズユニット５０１の案内板５１８の切り欠き５１８ｃより露出した視度操作力付加部材５２０が、表示ユニット５０１の外装カバー５０４に設けられた突起部５０４ｂと当接し所定量圧縮される。この視度操作力付加部材５２０の圧縮による反力によって接眼レンズユニット５０１をロックツメ５０６に押し付けることで接眼レンズユニット５０２の表示ユニット５０１への結合状態のガタつきを防止する。
【００４８】
また、電子ビューファインダーの表示ユニット５０１から接眼レンズユニット５０２を分離する際は、表示ユニット５０１のロック解除レバー５０５をロック解除方向（図３（ｂ）のＢ方向）に解除方向に操作することでロックツメ５０６と接眼レンズユニット５０２の案内板５１８に設けられたロック溝５１８ｂとの係合状態を解除し、接眼レンズユニット５０２を上方にスライドして取り外す。
【００４９】
以上説明したように、本発明の実施形態では、電子ビューファインダーの接眼ユニットに設けられた視度調レバーに所定の操作力を付加する視度操作力付加部材を外部に露出させ、電子ビューファインダーの表示ユニットとの結合時に表示ユニットと当接し、所定量圧縮させる構成とした。
【００５０】
よって、視度操作力付加部材の圧縮による反力により接眼レンズユニットを表示ユニットに設けられたロックツメに押し付け、電子ビューファインダーの表示ユニットと接眼ユニットの結合時のガタつきを防止することが可能となる。
【００５１】
また、図５に示すように、接眼ユニットに設けられた視度操作力付加部材の露出位置を、表示ユニットに設けられたロックツメと接眼レンズユニットに設けられたロック溝が係合する対向位置に設ける構成とした。
【００５２】
よって、視度操作力付加部材の圧縮による反力により接眼レンズユニットを表示ユニットに設けられたロックツメにバランスよく押し付けることが可能となり、電子ビューファインダーの表示ユニットと接眼ユニットの結合時のガタつきを効果的に防止することが可能となる。
【００５３】
さらに、視度操作力付加部材は一部のみを露出させる構成としているため、剥離しにくいといった利点がある。
【００５４】
また、本発明の実施形態では、視度操作力付加部材をゴム等の弾性部材を一例として説明したが、これに限るものではなく、エラストマーやウレタンフォーム、板バネ等の弾性部材であってもよい。
【符号の説明】
【００５５】
５…電子ビューファインダー
５０１…表示ユニット
５０２…接眼レンズユニット
５０３…ヒンジ
５０４…外装カバー
５０５…ロック解除レバー
５０６…ロックツメ
５０７…ロックツメガイド部材
５０８…圧縮バネ
５０９…基板
５１０…バックライト
５１１…スペーサー
５１２…液晶表示パネル
５１３…支持板
５１７…表示ユニット側保護ガラス
５１８…案内板
５１９…接眼レンズ保持部材
５２０…視度操作力付加部材
５２１…視度調節保持板
５２２…視度調節レバー
５２３…接眼レンズ鏡筒
５２４…接眼側保護ガラス
５２５…接眼側保護ガラス保持部材
５２６…アイカップ
【図１】
2015184499.tif 000003
【図２】
2015184499.tif 000004
【図３（ａ）】
2015184499.tif 000005
【図３（ｂ）】
2015184499.tif 000006
【図４】
2015184499.tif 000007
【図５】
2015184499.tif 000008
【図６（ａ）】
2015184499.tif 000009
【図６（ｂ）】
2015184499.tif 000010
【図７】
2015184499.tif 000011
【図８】
2015184499.tif 000012
【図９】
2015184499.tif 000013
【図１０（ａ）】
2015184499.tif 000014
【図１０（ｂ）】
2015184499.tif 000015
【図１１】
2015184499.tif 000016